(57)【特許請求の範囲】
【請求項１】
レンズチューブと、前記レンズチューブ内に設けられるとともに前記レンズチューブに接続されるレンズ群とを含むレンズモジュールであり、
前記レンズチューブは、光透過孔が開けて設けられた第１の筒壁と、前記第１の筒壁から屈折して延伸される第２の筒壁と、前記第１の筒壁と第２の筒壁とにより囲まれて形成されている収容空間とを有し、
前記レンズ群には、光軸が共通する、前記第１の筒壁における前記収容空間に向う表面に接続される第１のレンズと、前記第１のレンズに接続される第２のレンズと、前記第２のレンズに接続される第３のレンズと、前記第３のレンズに接続される第４のレンズとが含まれているレンズモジュールにおいて、
前記第１のレンズは、前記第１の筒壁における前記収容空間に向う表面に当接する第１の表面、前記第１の表面に対向する第２の表面、及び前記第１の表面と第２の表面とを接続する側面を有し、前記側面は前記第２の筒壁における前記収容空間に向う表面に当接し、前記第１の表面が前記第１の筒壁における前記収容空間に向う表面に当接していることにより、該レンズモジュールは第１の合わせ精度を有するようになり、前記第１の合わせ精度によって、前記光透過孔の中心が前記光軸に位置するようになり、
前記第２のレンズ、第３のレンズ及び第４のレンズのいずれも上面と、前記上面に対向する下面と、前記上面と下面とを接続する接続面とを有し、前記第２のレンズ、第３のレンズ、及び第４のレンズの接続面のいずれも前記第２の筒壁における前記収容空間に向う表面に当接し、
前記第１のレンズの第２の表面は第１の円弧面を有し、前記第２のレンズの上面は前記第１の円弧面に当接する第２の円弧面を有し、
前記第１のレンズの第２の表面は前記第１の円弧面のみで前記第２のレンズの上面に当
接しており、
前記第２のレンズの上面は前記第２の円弧面のみで前記第１のレンズの第２の表面に当
接しており、
前記第１の円弧面が第２の円弧面に当接していることにより、該レンズモジュールは第２の合わせ精度を有するようになり、前記第２の合わせ精度によって、前記第１のレンズ、第２のレンズ、第３のレンズ及び第４のレンズは光軸が共通するようになり、
前記第２の表面は、順次に接続される、前記第１の円弧面の一側に接続される第１の延伸面、及び前記第１の円弧面の他側に接続される第２の延伸面を更に含み、
前記第２のレンズの上面は、順次に接続される、前記第２の円弧面の一側に接続される第３の延伸面、及び前記第２の円弧面の他側に接続される第４の延伸面を含み、前記第４の延伸面と前記第２の延伸面との間に所定の距離が隔てられ、前記第１の延伸面と前記第３の延伸面との間に所定の距離が隔てられることを特徴とするレンズモジュール。
【請求項２】
前記第１の円弧面及び前記第２の円弧面に、前記第１の筒壁から最も近い又は最も遠いジョイント線があり、前記第１の円弧面及び第２の円弧面のいずれも前記ジョイント線から前記第２の筒壁の方向へ延伸する第１の部分、及び前記ジョイント線から前記光軸の方向へ延伸する第２の部分を含んでいることを特徴とする請求項１に記載のレンズモジュール。
【請求項３】
前記第２のレンズの下面は第３の円弧面を有し、前記第３のレンズの上面は前記第３の円弧面に当接する第４の円弧面を有し、前記第３のレンズの下面は第５の円弧面を有し、前記第４のレンズの上面は前記第５の円弧面に当接する第６の円弧面を有し、
前記第２のレンズの下面は前記第３の円弧面のみで前記第３のレンズの上面に当接しており、
前記第３のレンズの上面は前記第４の円弧面のみで前記第２のレンズの下面に当接しており、
前記第３のレンズの下面は前記第５の円弧面のみで前記第４のレンズの上面に当接しており、
前記第４のレンズの上面は前記第６の円弧面のみで前記第３のレンズの下面に当接しており、
前記第２のレンズの下面は、順次に接続される、前記第３の円弧面の一側に接続される第５の延伸面、及び前記第３の円弧面の他側に接続される第６の延伸面を含み、
前記第３のレンズの上面は、順次に接続される、前記第４の円弧面の一側に接続される第７の延伸面、及び前記第４の円弧面の他側に接続される第８の延伸面を含み、
前記第５の延伸面と前記第７の延伸面との間に所定の間隔が隔てられ、前記第６の延伸面と前記第８の延伸面との間に所定の距離が隔てられ、
前記第３のレンズの下面は、順次に接続される、前記第５の円弧面の一側に接続される第９の延伸面、及び前記第５の円弧面の他側に接続される第１０の延伸面を含み、
前記第４のレンズの上面は、順次に接続される、前記第６の円弧面の一側に接続される第１１の延伸面、及び前記第６の円弧面の他側に接続される第１２の延伸面を含み、
前記第１２の延伸面と前記第１０の延伸面との間に所定の距離が隔てられ、前記第９の延伸面と前記第１１の延伸面との間に所定の間隔が隔てられることを特徴とする請求項２に記載のレンズモジュール。
【請求項４】
前記第２のレンズの下面は第３の円弧面を有し、前記第３のレンズの上面は前記第３の円弧面に当接する第４の円弧面を有し、前記第３のレンズの下面は第５の円弧面を有し、前記第４のレンズの上面は前記第５の円弧面に当接する第６の円弧面を有することを特徴とする請求項２に記載のレンズモジュール。
【請求項５】
前記第２のレンズの下面は、順次に接続される、前記第３の円弧面の一側に接続される第５の延伸面、及び前記第３の円弧面の他側に接続される第６の延伸面を含み、
前記第３のレンズの上面は、順次に接続される、前記第４の円弧面の一側に接続される第７の延伸面、及び前記第４の円弧面の他側に接続される第８の延伸面を含み、
前記第５の延伸面と前記第７の延伸面との間に所定の距離が隔てられ、前記第６の延伸面と前記第８の延伸面との間に所定の距離が隔てられることを特徴とする請求項４に記載のレンズモジュール。
【請求項６】
前記第３のレンズの下面は、順次に接続される、前記第５の円弧面の一側に接続される第９の延伸面、及び前記第５の円弧面の他側に接続される第１０の延伸面を含み、
前記第４のレンズの上面は、順次に接続される、前記第６の円弧面の一側に接続される第１１の延伸面、及び前記第６の円弧面の他側に接続される第１２の延伸面を含み、
前記第１２の延伸面と前記第１０の延伸面との間に所定の距離が隔てられ、前記第９の延伸面と前記第１１の延伸面との間に所定の距離が隔てられることを特徴とする請求項５に記載のレンズモジュール。
【発明の詳細な説明】
【技術分野】
【０００１】
本発明は、レンズモジュールに関するものである。
【背景技術】
【０００２】
科学技術が続けて発展することに伴い、電子設備のインテリジェント化が徐々に発展されており、デジタルカメラの以外に、携帯式の電子設備、例えばタブレットパソコン、携帯などもレンズモジュールを有するようになっている。人々の使用要望にかなうように、レンズモジュールによって撮影したものの画像品質にも高い要求がさらに求められている。撮影したものの画像品質は大程度にレンズモジュール内における各レンズの光軸の同軸度に関係する。
【０００３】
関連技術では、レンズモジュールは、光透過孔が開設されたレンズチューブ及びレンズチューブ内に設置されるレンズ群を含み、レンズ群には少なくとも二枚の光学レンズが備えられ、光透過孔の幾何学中心を通過した直線及びこれらの光学レンズの光軸は重合されるべき、即ち、高い同軸度を有することが確保されるべきである。また、各光学レンズの間の相互接続も高い安定性を有するべきである。しかし、生産製造の過程において、光学レンズの間の偏心は比較的敏感であるため、高い同軸度及び安定性の保証が困難である。
これによれば、新規レンズモジュールを提供することが必要となる。
【発明の概要】
【発明が解決しようとする課題】
【０００４】
本発明は、同軸度が良く、安定性の高いレンズモジュールを提供することを目的とする。
【課題を解決するための手段】
【０００５】
本発明の技術の方案は以下である。本発明において、レンズチューブと、前記レンズチューブ内に設けられるとともに前記レンズチューブに接続されるレンズ群とを含むレンズモジュールであって、前記レンズチューブは、光透過孔が開けて設けられた第１の筒壁と、前記第１の筒壁から屈折して延伸される第２の筒壁と、前記第１の筒壁と第２の筒壁とにより囲まれて形成されている収容空間とを有し、前記レンズ群には、光軸が共通する、前記第１の筒壁における前記収容空間に向う表面に接続される第１のレンズと、前記第１のレンズに接続される第２のレンズと、前記第２のレンズに接続される第３のレンズと、前記第３のレンズに接続される第４のレンズとが含まれており、
前記第１のレンズは、前記第１の筒壁における前記収容空間に向う表面に当接する第１の表面、前記第１の表面に対向する第２の表面、及び前記第１の表面と第２の表面とを接続する側面を有し、前記側面は前記第２の筒壁における前記収容空間に向う表面に当接し、前記第１の表面が前記第１の筒壁における前記収容空間に向う表面に当接していることにより、該レンズモジュールは第１の合わせ精度を有するようになり、前記第１の合わせ精度によって、前記光透過孔の中心は前記光軸に位置するようになり、
前記第２のレンズ、第３のレンズ及び第４のレンズのいずれも上面と、前記上面に対向する下面と、前記上面と下面とを接続する接続面とを有し、前記第２のレンズ、第３のレンズ、及び第４のレンズの接続面のいずれも前記第２の筒壁における前記収容空間に向う表面に当接し、
前記第１のレンズの第２の表面は第１の円弧面を有し、前記第２のレンズの上面は前記第１の円弧面に当接する第２の円弧面を有し、
前記第１のレンズの第２の表面は前記第１の円弧面のみで前記第２のレンズの上面に当
接しており、
前記第２のレンズの上面は前記第２の円弧面のみで前記第１のレンズの第２の表面に当
接しており、
前記第１の円弧面が第２の円弧面に当接していることにより、該レンズモジュールは第２の合わせ精度を有するようになり、前記第２の合わせ精度によって、前記第１のレンズ、第２のレンズ、第３のレンズ及び第４のレンズは光軸が共通するようになり、
前記第２の表面は、順次に接続される、前記第１の円弧面の一側に接続される第１の延伸面、及び前記第１の円弧面の他側に接続される第２の延伸面を更に含み、
前記第２のレンズの上面は、順次に接続される、前記第２の円弧面の一側に接続される第３の延伸面、及び前記第２の円弧面の他側に接続される第４の延伸面を含み、前記第４の延伸面と前記第２の延伸面との間に所定の距離が隔てられ、前記第１の延伸面と前記第３の延伸面との間に所定の距離が隔てられる。
好ましくは、前記第１の円弧面及び前記第２の円弧面には、前記第１の筒壁から最も近い又は最も遠いジョイント線があり、前記第１の円弧面及び第２の円弧面のいずれも前記ジョイント線から前記第２の筒壁の方向へ延伸する第１の部分、及び前記ジョイント線から前記光軸の方向へ延伸する第２の部分を含んでいる。
好ましくは、前記第２のレンズの下面は第３の円弧面を有し、前記第３のレンズの上面は前記第３の円弧面に当接する第４の円弧面を有し、前記第３のレンズの下面は第５の円弧面を有し、前記第４のレンズの上面は前記第５の円弧面に当接する第６の円弧面を有し、
前記第２のレンズの下面は前記第３の円弧面のみで前記第３のレンズの上面に当接しており、
前記第３のレンズの上面は前記第４の円弧面のみで前記第２のレンズの下面に当接しており、
前記第３のレンズの下面は前記第５の円弧面のみで前記第４のレンズの上面に当接しており、
前記第４のレンズの上面は前記第６の円弧面のみで前記第３のレンズの下面に当接しており、
前記第２のレンズの下面は、順次に接続される、前記第３の円弧面の一側に接続される第５の延伸面、及び前記第３の円弧面の他側に接続される第６の延伸面を含み、
前記第３のレンズの上面は、順次に接続される、前記第４の円弧面の一側に接続される第７の延伸面、及び前記第４の円弧面の他側に接続される第８の延伸面を含み、
前記第５の延伸面と前記第７の延伸面との間に所定の間隔が隔てられ、前記第６の延伸面と前記第８の延伸面との間に所定の距離が隔てられ、
前記第３のレンズの下面は、順次に接続される、前記第５の円弧面の一側に接続される第９の延伸面、及び前記第５の円弧面の他側に接続される第１０の延伸面を含み、
前記第４のレンズの上面は、順次に接続される、前記第６の円弧面の一側に接続される第１１の延伸面、及び前記第６の円弧面の他側に接続される第１２の延伸面を含み、
前記第１２の延伸面と前記第１０の延伸面との間に所定の距離が隔てられ、前記第９の延伸面と前記第１１の延伸面との間に所定の間隔が隔てられる。
あるいは、好ましくは、前記第２のレンズの下面は第３の円弧面を有し、前記第３のレンズの上面は前記第３の円弧面に当接する第４の円弧面を有し、前記第３のレンズの下面は第５の円弧面を有し、前記第４のレンズの上面は前記第５の円弧面に当接する第６の円弧面を有する。
好ましくは、前記第２のレンズの下面は、順次に接続される、前記第３の円弧面の一側に接続される第５の延伸面、及び前記第３の円弧面の他側に接続される第６の延伸面を含み、
前記第３のレンズの上面は、順次に接続される、前記第４の円弧面の一側に接続される第７の延伸面、及び前記第４の円弧面の他側に接続される第８の延伸面を含み、
前記第５の延伸面と前記第７の延伸面との間に所定の距離が隔てられ、前記第６の延伸面と前記第８の延伸面との間に所定の距離が隔てられる。
好ましくは、前記第３のレンズの下面は、順次に接続される、前記第５の円弧面の一側に接続される第９の延伸面、及び前記第５の円弧面の他側に接続される第１０の延伸面を含み、
前記第４のレンズの上面は、順次に接続される、前記第６の円弧面の一側に接続される第１１の延伸面、及び前記第６の円弧面の他側に接続される第１２の延伸面を含み、
前記第１２の延伸面と前記第１０の延伸面との間に所定の距離が隔てられ、前記第９の延伸面と前記第１１の延伸面との間に所定の距離が隔てられる。
【発明の効果】
【０００６】
レンズモジュールが第２の合わせ精度を有することにより、レンズ群内におけるそれぞれのレンズの同軸度が保証でき、第１の合わせ精度により、レンズ群及びレンズチューブは比較的高い同軸度を有することが保証できると共に、第１のレンズの側面、第２のレンズ、第３のレンズ及び第４のレンズの接続面と、第２の筒壁との当接によって、レンズチューブ内において、レンズ群の取付の安定性が比較的に良くなる。
【図面の簡単な説明】
【０００７】
【図１】本発明によるレンズモジュールの第１の実施例の構造を示す概略図である。
【図２】本発明によるレンズモジュールの第１の実施例における第１のレンズの構造を示す概略図である。
【図３】本発明によるレンズモジュールの第１の実施例における第２のレンズの構造を示す概略図である。
【図４】本発明によるレンズモジュールの第１の実施例における第３のレンズの構造を示す概略図である。
【図５】本発明によるレンズモジュールの第１の実施例における第４のレンズの構造を示す概略図である。
【図６】本発明によるレンズモジュールの第２の実施例の構造を示す概略図である。
【図７】本発明によるレンズモジュールの第２の実施例におけるＡ部位の拡大図である。
【発明を実施するための形態】
【０００８】
本発明に係る実施形態について、図面を参照しつつ説明する。
【０００９】
＜第１の実施例＞
図１に示されるように、レンズモジュール１００は、レンズチューブ１０１と、レンズチューブ１０１内に設けられているとともにレンズチューブ１０１に接続されるレンズ群１０２とを備える。レンズチューブ１０１は、光透過孔１０１Ｃが開けて設けられた第１の筒壁１０１Ａと、第１の筒壁１０１Ａから屈折して延伸される第２の筒壁１０１Ｂと、前記第１の筒壁１０１Ａと第２の筒壁１０１Ｂとにより囲まれて形成されている収容空間１０１Ｄとを有する。レンズ群１０２には、第１の筒壁１０１Ａにおける収容空間１０１Ｄに向う表面に接続される第１のレンズ１０３と、第１のレンズ１０３に接続される第２のレンズ１０４と、第２のレンズ１０４に接続される第３のレンズ１０５と、第３のレンズ１０５に接続される第４のレンズ１０６とが含まれており、第１のレンズ１０３、第２のレンズ１０４、第３のレンズ１０５、及び第４のレンズ１０６は、レンズチューブ１０１の軸方向に沿って分布されている。
【００１０】
図２に示されるように、第１のレンズ１０３は、第１の筒壁１０１Ａにおける収容空間１０１Ｄに向う表面に当接する第１の表面１０３Ａ、第１の表面１０３Ａに対向する第２の表面１０３Ｂ、及び第１の表面１０３Ａと第２の表面１０３Ｂとを接続する側面１０３Ｃとを有する。第１の表面１０３Ａは、順次に接続される、第１の平面１０８及び第１の光学面１０９を有する。第１の平面１０８は、第１の筒壁１０１Ａにおける収容空間に向う表面に当接し、光透過孔１０１Ｃの直径は第１の光学面１０９を露出させるために十分に大きくされている。第１の表面１０３Ａが第１の筒壁１０１Ａにおける収容空間１０１Ｄに向う表面に当接していることにより、該レンズモジュール１００は第１の合わせ精度を有するようになる。第２の表面１０３Ｂは、順次に接続される、第１の延伸面１１０、第１の円弧面１１１及び第２の延伸面を有する。第２の延伸面は、第３の平面１１２、第１の表面１０３Ａに近づく方向に沿って第３の平面１１２から屈折して延伸される第１の斜面１１３、及び第２の光学面１１４を更に含んでいる。側面１０３Ｃは第２の筒壁１０１Ｂのおける収容空間に向う表面に当接する。
【００１１】
本実施例において、第１の平面１０８と第１の筒壁１０１Ａにおける収容空間１０１Ｄに向う表面との当接は、平面と平面との当接であり、その他の実施例において、第１の平面と第１の筒壁における収容空間に向う表面とは、円弧面又は斜面にて当接することも可能である。
【００１２】
図３に示されるように、第２のレンズ１０４は、上面１０４Ａ、上面１０４Ａに対向する下面１０４Ｂ、及び上面１０４Ａと下面１０４Ｂとを接続する接続面１０４Ｃを有する。上面１０４Ａは、順次に接続される、第１の延伸面１１０と所定の距離を隔てる第３の延伸面１１５、第１の円弧面１１１に当接する第２の円弧面１１６、及び第２の延伸面と所定の距離を隔てる第４の延伸面を有し、第４の延伸面には、第２の円弧面１１６に接続されると共に第３の平面１１２及び第１の斜面１１３と所定の距離を隔てる第４の平面１１７と、第２の光学面１１４と所定の距離を隔てる第３の光学面１１８とが更に含まれている。下面１０４Ｂは、順次に接続される、第５の延伸面１１９、第３の円弧面１２０及び第６の延伸面を含み、第６の延伸面には、第３の円弧面１２０に接続される第５の平面１２１と、第４の光学面１２２とが更に含まれている。本実施例において、第３の延伸面１１５と第１の延伸面１１２との間に所定距離が隔てられているが、第３の延伸面が第１の延伸面に当接することも可能である。接続面１０４Ｃは第２の筒壁１０１Ｂにおける収容空間１０１Ｄに向う表面に当接する。第３の延伸面１１５と第１の延伸面１１２との間に所定の間隔を置いた理由、また、第４の平面１１７と第３の平面１１２及び第１の斜面１１３との間に所定の間隔を置いた理由は、第１のレンズ１０３と第２のレンズ１０４の合わせ精度が、互いに当接している第１の円弧面１１１と第２の円弧面１１６とによって確定され、平面の加工精度による影響を受けないようにするためである。
【００１３】
図４に示されるように、第３のレンズ１０５は、上面１０５Ａ、上面１０５Ａに対向する下面１０５Ｂ、及び上面１０５Ａと下面１０５Ｂとを接続する接続面１０５Ｃを有する。なお、上面１０５Ａは、順次に接続される、第５の延伸面１１９と所定の距離を隔てる第７の延伸面１２３、第３の円弧面１２０に当接する第４の円弧面１２４、及び第６の延伸面と所定の距離を隔てる第８の延伸面を有し、第８の延伸面には、第４の円弧面１２４に接続されると共に第５の平面１２１と所定の距離を隔てる第６の平面１２５と、第２の斜面１２６と、第４の光学面１２２と所定の距離を隔てる第５の光学面１２７とが含まれている。第７の延伸面１２３と第５の延伸面１１９とが当接することも可能である。下面１０５Ｂは、順次に接続される、第９の延伸面１２８、第５の円弧面１２９及び第１０の延伸面を有し、第１０の延伸面には、第５の円弧面１２９に接続される第７の平面１３０と、第６の光学面１３１とが含まれている。接続面１０５Ｃは第２の筒壁１０１Ｂにおける収容空間１０１Ｄに向う表面に当接する。同様な理由にて、第７の延伸面１２３と第５の延伸面１１９との間に所定の間隔を置いた理由、また、第６の平面１２５及び第２の斜面１２６と第５の平面１２１との間に所定の間隔を置いた理由は、第２のレンズ１０４と第３のレンズ１０５の合わせ精度が、互いに当接している第３の円弧面１２２及び第４の円弧面１２６によって確定され、平面の加工精度による影響を受けないようにするためである。
【００１４】
図５に示されるように、第４のレンズ１０６は、上面１０６Ａ、上面１０６Ａに対向する下面１０６Ｂ、及び上面１０６Ａと下面１０６Ｂとを接続する接続面１０６Ｃを有する。なお、上面１０６Ａは、順次に接続される、第９の延伸面１２８と所定の距離を隔てる第１１の延伸面１３２、第５の円弧面１２９に当接する第６の円弧面１３３、及び第１０の延伸面と所定の距離を隔てる第１２の延伸面を有し、第１２の延伸面には、第７の平面１３０と所定の距離を隔てる第８の平面１３４と、第６の光学面１３１と所定の距離を隔てる第７の光学面１３５とが更に含まれている。接続面１０６Ｃは第２の筒壁１０１Ｂにおける収容空間１０１Ｄに向う表面に当接する。同様に、第１１の延伸面１３２が第９の延伸面１２８に当接することも可能である。
【００１５】
第１の円弧面１１１及び第２の円弧面１６６のいずれにも、第１の筒壁１０１Ａから最も遠いジョイント線がある。図２及び図３に示される断面図によれば、図面における右側の円弧を例とすると、このジョイント線は第１の円弧面１１１及び第２の円弧面１１６の最高点と直線Ａとの交点として表示されている。第１の円弧面１１１は、ジョイント線から第２の筒壁１０１Ｂの方向に延伸される第１の部分１１１Ａと、ジョイント線から光軸１０７の方向に延伸される第２の部分１１１Ｂとを含み、第２の円弧面１１６もジョイント線から第２の筒壁１０１Ｂの方向に延伸される第１の部分１１６Ａと、ジョイント線から光軸１０７の方向に延伸される第２の部分１１６Ｂとを含む。この時、第１の円弧面１１１は上に凹まれた円弧面であり、第２の円弧面１１６は対応的に上に突起された円弧面である。第３の円弧面１２０と第４の円弧面１２４、及び、第５の円弧面１２９と第６の円弧面１３３のいずれも第１の部分及び第２の部分を含んでいるが、ここでは再び詳細に記述しない。
【００１６】
第１の円弧面が第２の円弧面に当接していることにより、レンズモジュールが第２の合わせ精度を有するようになる。第２の合わせ精度により、第１のレンズ、第２のレンズ、第３のレンズ、及び第４のレンズが光軸を共通するようになる。なお、第１の合わせ精度により、光透過孔の中心が光軸に位置することが確保されている。また、第１のレンズの側面、第２のレンズ、第３のレンズ及び第４のレンズの接続面と、第２の筒壁の収容空間に向う表面との当接によって、レンズチューブ内において、レンズ群の取付の安定性がより高くなる。
【００１７】
＜第２の実施例＞
図６に示されるように、レンズモジュール２００のそれぞれの構成部分及び機能のいずれも上記第１の実施例と同じであり、異なる点は、本実施例において、第１の延伸面と第３の延伸面とが互いに当接し、第５の延伸面と第７の延伸面とが当接し、第９の延伸面と第１１の延伸面とが互いに当接することである。また、図７に示されるように、第２のレンズを例とすると、第２のレンズ上の第１の円弧面の断面は、図７において二つの円弧になっている。図７における右側の円弧の中心Ｏを通過する直線を描くと、第１のレンズの直線の右側に位置する直線Ｂは、Ｘ方向に沿って移動可能である。すなわち、第１のレンズのエッジ部分の厚みは変化可能であり、この場合、円弧の形態もそれに従って変化される。同理にて、第１のレンズの左側のエッジ部分にも同様な変化が生じられる。これによれば、他のレンズのエッジの厚みについても、設計過程において必要に応じて変化させることも可能である。
【００１８】
以上に記述されたのは、本発明の実施形態に過ぎなく、当業者にとっては、本発明の設計主旨を超えない限り、さらに変更することができるが、これらの変更は本発明の保護範囲に含まれると理解されるべきであろう。
【図１】
0006051185.tif 000002
【図２】
0006051185.tif 000003
【図３】
0006051185.tif 000004
【図４】
0006051185.tif 000005
【図５】
0006051185.tif 000006
【図６】
0006051185.tif 000007
【図７】
0006051185.tif 000008